(57)【要約】    【課題】      上り回線で高速パケット伝送を行う無線通信システムにおいて、無駄な工数を削減し、無線リソースを有効に活用すること。    【解決手段】  チャネルデコード部５３は、復号結果の情報に対してＥ−ＲＮＴＩでマスクしたＣＲＣを検査して、自局のＥ−ＲＮＴＩと比較して自局宛のスケジューリング結果情報を抽出する。プロセス制御部５４は、Primary E-RNTIの場合にはＰＡＦで示されたＨ−ＡＲＱプロセスについてactivation/inactivationの制御を行い、Secondary E-RNTIの場合にはＰＡＦにかかわらずすべてのＨ−ＡＲＱプロセスに対してactivation/inactivationの制御を行う。  【選択図】      図４
2006311411.tif 000002
【特許請求の範囲】
【請求項１】
通信相手の基地局装置から上り回線パケットの送信を許可する通信端末装置を示す識別子、及び、制御するプロセスを示すプロセスアクティベーションフラグを含むスケジューリング結果情報を受信する受信手段と、
受信信号から抽出した識別子が、自端末の第１識別子の場合には前記プロセスアクティベーションフラグで指示されたプロセスを制御し、自端末の第２識別子の場合には前記プロセスアクティベーションフラグにかかわらず全てのプロセスを制御するプロセス制御手段と、
前記プロセス制御手段により許可されたプロセスでパケットを送信する送信手段と、を具備することを特徴とする通信端末装置。
【請求項２】
上り回線パケットの送信を許可する通信端末装置を選択し、メモリに記憶された識別子の中から、選択した通信端末装置と関連付けられた識別子を選定する選択手段と、
前記選択手段が選択した通信端末装置に対して制御するプロセスを示すプロセスアクティベーションフラグを生成するＰＡＦ決定手段と、
前記選択手段が選定した識別子が第１識別子の場合には前記ＰＡＦ決定手段が生成したプロセスアクティベーションフラグのままとし、第２識別子の場合にはプロセスアクティベーションフラグの値を全てのプロセスを制御することを示す固定値に切り替えるＰＡＦ切り替え手段と、を具備することを特徴とする基地局装置。
【請求項３】
通信相手の基地局装置から上り回線パケットの送信を許可する通信端末装置を示す識別子、及び、制御するプロセスを示すプロセスアクティベーションフラグを含むスケジューリング結果情報を受信する受信手段と、
受信信号から抽出した識別子が、自端末の第１識別子の場合には前記プロセスアクティベーションフラグで指示されたプロセスを制御し、自端末の第２識別子の場合には前記プロセスアクティベーションフラグが所定の固定値と一致するか否かを判定し、一致する場合には、すべてのプロセスを制御し、一致しない場合にはスケジューリング結果情報を廃棄するプロセス制御手段と、
前記プロセス制御手段により許可されたプロセスでパケットを送信する送信手段と、を具備することを特徴とする通信端末装置。
【請求項４】
上り回線パケットの送信を許可する通信端末装置を選択し、メモリに記憶された識別子の中から、選択した通信端末装置と関連付けられた識別子を選定する選択手段と、
前記選択手段が選択した通信端末装置に対して制御するプロセスを示すプロセスアクティベーションフラグを生成するＰＡＦ決定手段と、
前記選択手段が選定した識別子が第１識別子の場合には前記ＰＡＦ決定手段が生成したプロセスアクティベーションフラグのままとし、第２識別子の場合にはプロセスアクティベーションフラグを制御信号に置き換えるＰＡＦ置き換え手段と、を具備することを特徴とする基地局装置。
【請求項５】
請求項４記載の基地局装置から前記識別子、及び、前記プロセスアクティベーションフラグあるいは前記制御信号を含むスケジューリング結果情報を受信する受信手段と、
受信信号から抽出した自局宛の識別子が、前記第１識別子の場合には前記プロセスアクティベーションフラグに示されたプロセスを制御し、前記第２識別子の場合にはすべてのプロセスを制御するとともに前記制御信号を抽出するプロセス制御と、
前記プロセス制御手段により許可されたプロセスでパケットを送信する送信手段と、を具備することを特徴とする通信端末装置。
【請求項６】
通信相手の基地局装置から上り回線パケットの送信を許可する通信端末装置を示す識別子、及び、制御するプロセスを示すプロセスアクティベーションフラグを含むスケジューリング結果情報を受信する工程と、
受信信号から抽出した識別子が、自端末の第１識別子の場合には前記プロセスアクティベーションフラグで指示されたプロセスを制御し、自端末の第２識別子の場合には前記プロセスアクティベーションフラグにかかわらず全てのプロセスを制御する工程と、
前記制御により許可されたプロセスでパケットを送信する工程と、を具備することを特徴とする通信端末装置の通信方法。
【請求項７】
上り回線パケットの送信を許可する通信端末装置を選択し、メモリに記憶された識別子の中から、選択した通信端末装置と関連付けられた識別子を選定する工程と、
前記選択した通信端末装置に対して制御するプロセスを示すプロセスアクティベーションフラグを生成する工程と、
前記選定した識別子が、第１識別子の場合には前記生成したプロセスアクティベーションフラグのままとし、第２識別子の場合にはプロセスアクティベーションフラグの値を全てのプロセスを制御することを示す固定値にする工程と、を具備することを特徴とする基地局装置の通信方法。
【請求項８】
通信相手の基地局装置から上り回線パケットの送信を許可する通信端末装置を示す識別子、及び、制御するプロセスを示すプロセスアクティベーションフラグを含むスケジューリング結果情報を受信する工程と、
受信信号から抽出した識別子が、自端末の第１識別子の場合には前記プロセスアクティベーションフラグで指示されたプロセスを制御し、自端末の第２識別子の場合には前記プロセスアクティベーションフラグが所定の固定値と一致するか否かを判定し、一致する場合には、すべてのプロセスを制御し、一致しない場合にはスケジューリング結果情報を廃棄する工程と、
前記制御により許可されたプロセスでパケットを送信する工程と、を具備することを特徴とする通信端末装置の通信方法。
【請求項９】
基地局装置が、上り回線パケットの送信を許可する通信端末装置を選択し、通信端末装置が、送信を許可された場合に前記基地局装置に対して上り回線パケットの送信を行う通信方法であって、
前記基地局装置が、上り回線パケットの送信を許可する通信端末装置を選択し、メモリに記憶された識別子の中から、選択した通信端末装置と関連付けられた識別子を選定する工程と、
前記基地局装置が、前記選択した通信端末装置に対して制御するプロセスを示すプロセスアクティベーションフラグを生成する工程と、
前記基地局装置が、前記選定した識別子が、第１識別子の場合には前記生成したプロセスアクティベーションフラグのままとし、第２識別子の場合にはプロセスアクティベーションフラグを制御信号に置き換える工程と、
前記通信端末装置が、前記基地局装置から前記識別子、及び、前記プロセスアクティベーションフラグあるいは前記制御信号を含むスケジューリング結果情報を受信する工程と、
前記通信端末装置が、受信信号から抽出した識別子が、前記自端末の第１識別子の場合には前記プロセスアクティベーションフラグに示されたプロセスを制御し、前記自端末の第２識別子の場合にはすべてのプロセスを制御する工程と、
前記通信端末装置が、前記制御により許可されたプロセスでパケットを送信する工程と、を具備することを特徴とする通信方法。
【発明の詳細な説明】
【技術分野】
【０００１】
本発明は、ＨＳＵＰＡ（High Speed Uplink Packet Access）で無線通信を行うシステムに使用される通信端末装置、基地局装置および通信方法に関する。
【背景技術】
【０００２】
現在３ＧＰＰにおいて、通信端末装置から基地局装置への上り回線での高速パケット伝送を可能とする方式、例えばＨＳＵＰＡの標準化について検討がなされている。
【０００３】
以下、ＨＳＵＰＡにおいて通信端末装置が高速パケット伝送を行うまでの手順について図７、図８を用いて説明する。なお、図７、図８では、基地局装置（ＮｏｄｅＢ）が４つの通信端末装置（ＵＥ＃１、ＵＥ＃２、ＵＥ＃３、ＵＥ＃４）と無線通信を行い、ＨＳＵＰＡでパケットを受信する場合を示す。
【０００４】
まず、ステップ１として、各通信端末装置は、基地局装置に対して所望のパケット伝送レートを示すレート要求情報を送信する。なお、レート要求情報は、データ量、送信電力比マージン（例えば使用可能な総送信電力とＤＰＣＣＨの電力比）を示す情報を送信する。
【０００５】
次に、ステップ２として、基地局装置が、レート要求情報等に基づいてパケットの伝送を許可する通信端末装置を選択し、ＤＰＣＣＨ（Dedicated Physical Control Channel）に対するパケットが送信されるＥ−ＤＰＤＣＨ（E-DCH Dedicated Physical Data Channel）に許可する電力比を決定するスケジューリングを行い、スケジューリング結果を示す情報を、選択した通信端末装置に送信する。
【０００６】
基地局装置が通信端末装置に対してスケジューリング結果を示す情報を送信するチャネルにＥ−ＡＧＣＨ(E-DCH Absolute Grant Channel)がある。Ｅ−ＡＧＣＨで送信される情報には、識別子Ｅ−ＲＮＴＩ(E-DCH Radio Network Temporary Identifier)でマスクしたＣＲＣが付加される。Ｅ−ＲＮＴＩには、 Primary E-RNTI と Secondary E-RNTI の２種類がある。前者は各通信端末装置により個別のＥ−ＲＮＴＩとして、後者は複数の通信端末装置で共通のＥ−ＲＮＴＩとして使用されることが一般的である。なお、全ての通信端末装置が、必ずしもPrimary E-RNTI と Secondary E-RNTI の２種類が与えられるとは限らない。また、システム運営上、Primary E-RNTIのみ、もしくはSecondary E-RNTIのみを使用することもありえる。
【０００７】
図７は、基地局装置（ＮｏｄｅＢ）が、通信端末装置（ＵＥ＃３）に、Primary E-RNTI（Ｘ３）を用いてＥ−ＡＧＣＨで情報を送信する場合を示す。また、図８は、基地局装置（ＮｏｄｅＢ）が、通信端末装置（ＵＥ＃１、ＵＥ＃２）に、Secondary E-RNTI（Ｙ１）を用いてＥ−ＡＧＣＨで情報を送信する場合を示す。
【０００８】
次に、ステップ３として、すべての通信端末装置が、Ｅ−ＡＧＣＨで送信された信号を復号し、Primary E-RNTI及びSecondary E-RNTIを用いてＣＲＣ確認し、どちらか一方のＥ−ＲＮＴＩでＣＲＣ誤りが検出されなければ、自局宛にＥ−ＡＧＣＨで情報が送信されたと判断し、いずれのＥ−ＲＮＴＩでもＣＲＣ誤りが検出されれば、自局宛にＥ−ＡＧＣＨで情報が送信されなかったと判断する。そして、基地局装置からＥ−ＡＧＣＨで情報が送信された通信端末装置（図７のＵＥ＃３、図８のＵＥ＃１、ＵＥ＃２）は、基地局装置に対してＥ−ＤＣＨでパケットデータを送信する。
【０００９】
次に、ステップ４として、基地局装置は、Ｅ−ＤＣＨで受信したパケットデータに対して誤り検出処理を行い、誤りを検出しなかった場合にはＡＣＫ情報を、誤りを検出した場合にはＮＡＣＫ情報を、対応する通信端末装置に送信する。パケットデータの受信が失敗した場合には、Ｈ−ＡＲＱ（Hybrid-Automatic Request）により、最大再送回数に達するまでステップ３とステップ４が繰り返される。なお、上記ステップ２においては、Ｅ−ＡＧＣＨの他にＥ−ＲＧＣＨと呼ばれるＵＰ／ＤＯＷＮ／ＨＯＬＤを送信するチャネルも用いられるが、本明細書では省略する。
【００１０】
ここで、Ｅ−ＡＧＣＨで送信される情報には、電力比を示す複数ビットの電力比情報と、１ビットのプロセスアクティベーションフラグ（Process Activation Flag：以下、「ＰＡＦ」という）がある。非特許文献１では、ＰＡＦは、Ｈ-ＡＲＱにおける全プロセスもしくは１つのプロセスのactive/inactiveを制御する情報として規定されている。
【非特許文献１】3GPP, TS25.309 section 9.2.1
【発明の開示】
【発明が解決しようとする課題】
【００１１】
Primary E-RNTIの場合には、ＰＡＦを用いて通信端末装置毎に異なるＨ-ＡＲＱプロセスをactiveにすることにより、各通信端末装置から再送されるパケットデータを時分割多重することができる。他方、Secondary E-RNTIの場合には、複数の通信端末装置に共通のＥ−ＲＮＴＩを割り当てるため、同じスケジューリング結果が複数の通信端末装置に適用されることになり時分割多重に適さない。
【００１２】
しかしながら、従来においては、通信端末装置が、Primary E-RNTI／Secondary E-RNTIによらずＰＡＦを適用するようになっているため、通信端末装置および基地局装置の開発、ＬＳＩ開発、相互接続試験などの試験において無駄な工数が増加し、システム運営においても無線リソースが無駄になるという問題がある。
【００１３】
本発明はかかる点に鑑みてなされたものであり、上り回線で高速パケット伝送を行う無線通信システムにおいて、無駄な工数を削減し、無線リソースを有効に活用することができる通信端末装置、基地局装置および通信方法を提供することを目的とする。
【課題を解決するための手段】
【００１４】
本発明の通信端末装置は、通信相手の基地局装置から上り回線パケットの送信を許可する通信端末装置を示す識別子、及び、制御するプロセスを示すプロセスアクティベーションフラグを含むスケジューリング結果情報を受信する受信手段と、受信信号から抽出した識別子が、自端末の第１識別子の場合には前記プロセスアクティベーションフラグで指示されたプロセスを制御し、自端末の第２識別子の場合には前記プロセスアクティベーションフラグにかかわらず全てのプロセスを制御するプロセス制御手段と、前記プロセス制御手段により許可されたプロセスでパケットを送信する送信手段と、を具備する構成を採る。
【００１５】
本発明の基地局装置は、上り回線パケットの送信を許可する通信端末装置を選択し、メモリに記憶された識別子の中から、選択した通信端末装置と関連付けられた識別子を選定する選択手段と、前記選択手段が選択した通信端末装置に対して制御するプロセスを示すプロセスアクティベーションフラグを生成するＰＡＦ決定手段と、前記選択手段が選定した識別子が第１識別子の場合には前記ＰＡＦ決定手段が生成したプロセスアクティベーションフラグのままとし、第２識別子の場合にはプロセスアクティベーションフラグの値を全てのプロセスを制御することを示す固定値に切り替えるＰＡＦ切り替え手段と、を具備する構成を採る。
【００１６】
本発明の通信端末装置は、通信相手の基地局装置から上り回線パケットの送信を許可する通信端末装置を示す識別子、及び、制御するプロセスを示すプロセスアクティベーションフラグを含むスケジューリング結果情報を受信する受信手段と、受信信号から抽出した識別子が、自端末の第１識別子の場合には前記プロセスアクティベーションフラグで指示されたプロセスを制御し、自端末の第２識別子の場合には前記プロセスアクティベーションフラグが所定の固定値と一致するか否かを判定し、一致する場合には、すべてのプロセスを制御し、一致しない場合にはスケジューリング結果情報を廃棄するプロセス制御手段と、前記プロセス制御手段により許可されたプロセスでパケットを送信する送信手段と、を具備する構成を採る。
【００１７】
本発明の基地局装置は、上り回線パケットの送信を許可する通信端末装置を選択し、メモリに記憶された識別子の中から、選択した通信端末装置と関連付けられた識別子を選定する選択手段と、前記選択手段が選択した通信端末装置に対して制御するプロセスを示すプロセスアクティベーションフラグを生成するＰＡＦ決定手段と、前記選択手段が選定した識別子が第１識別子の場合には前記ＰＡＦ決定手段が生成したプロセスアクティベーションフラグのままとし、第２識別子の場合にはプロセスアクティベーションフラグを制御信号に置き換えるＰＡＦ置き換え手段と、を具備する構成を採る。
【００１８】
本発明の通信端末装置は、上記の基地局装置から前記識別子、及び、前記プロセスアクティベーションフラグあるいは前記制御信号を含むスケジューリング結果情報を受信する受信手段と、受信信号から抽出した自局宛の識別子が、前記第１識別子の場合には前記プロセスアクティベーションフラグに示されたプロセスを制御し、前記第２識別子の場合にはすべてのプロセスを制御するとともに前記制御信号を抽出するプロセス制御と、前記プロセス制御手段により許可されたプロセスでパケットを送信する送信手段と、を具備する構成を採る。
【００１９】
本発明の通信端末装置の通信方法は、通信相手の基地局装置から上り回線パケットの送信を許可する通信端末装置を示す識別子、及び、制御するプロセスを示すプロセスアクティベーションフラグを含むスケジューリング結果情報を受信する工程と、受信信号から抽出した識別子が、自端末の第１識別子の場合には前記プロセスアクティベーションフラグで指示されたプロセスを制御し、自端末の第２識別子の場合には前記プロセスアクティベーションフラグにかかわらず全てのプロセスを制御する工程と、前記制御により許可されたプロセスでパケットを送信する工程と、を具備する方法を採る。
【００２０】
本発明の基地局装置の通信方法は、上り回線パケットの送信を許可する通信端末装置を選択し、メモリに記憶された識別子の中から、選択した通信端末装置と関連付けられた識別子を選定する工程と、前記選択した通信端末装置に対して制御するプロセスを示すプロセスアクティベーションフラグを生成する工程と、前記選定した識別子が、第１識別子の場合には前記生成したプロセスアクティベーションフラグのままとし、第２識別子の場合にはプロセスアクティベーションフラグの値を全てのプロセスを制御することを示す固定値にする工程と、を具備する方法を採る。
【００２１】
本発明の通信端末装置の通信方法は、通信相手の基地局装置から上り回線パケットの送信を許可する通信端末装置を示す識別子、及び、制御するプロセスを示すプロセスアクティベーションフラグを含むスケジューリング結果情報を受信する工程と、受信信号から抽出した識別子が、自端末の第１識別子の場合には前記プロセスアクティベーションフラグで指示されたプロセスを制御し、自端末の第２識別子の場合には前記プロセスアクティベーションフラグが所定の固定値と一致するか否かを判定し、一致する場合には、すべてのプロセスを制御し、一致しない場合にはスケジューリング結果情報を廃棄する工程と、前記制御により許可されたプロセスでパケットを送信する工程と、を具備する方法を採る。
【００２２】
本発明の通信方法は、基地局装置が、上り回線パケットの送信を許可する通信端末装置を選択し、通信端末装置が、送信を許可された場合に前記基地局装置に対して上り回線パケットの送信を行う通信方法であって、前記基地局装置が、上り回線パケットの送信を許可する通信端末装置を選択し、メモリに記憶された識別子の中から、選択した通信端末装置と関連付けられた識別子を選定する工程と、前記基地局装置が、前記選択した通信端末装置に対して制御するプロセスを示すプロセスアクティベーションフラグを生成する工程と、前記基地局装置が、前記選定した識別子が、第１識別子の場合には前記生成したプロセスアクティベーションフラグのままとし、第２識別子の場合にはプロセスアクティベーションフラグを制御信号に置き換える工程と、前記通信端末装置が、前記基地局装置から前記識別子、及び、前記プロセスアクティベーションフラグあるいは前記制御信号を含むスケジューリング結果情報を受信する工程と、前記通信端末装置が、受信信号から抽出した識別子が、前記自端末の第１識別子の場合には前記プロセスアクティベーションフラグに示されたプロセスを制御し、前記自端末の第２識別子の場合にはすべてのプロセスを制御する工程と、前記通信端末装置が、前記制御により許可されたプロセスでパケットを送信する工程と、を具備する方法を採る。
【発明の効果】
【００２３】
本発明によれば、上り回線で高速パケット伝送を行う無線通信システムにおいて、Secondary E-RNTIの場合にＰＡＦを読み取るための処理を削減する等、開発や試験にかかる工数を減らし、無線リソースを有効に活用することができる。
【発明を実施するための最良の形態】
【００２４】
以下、本発明の実施の形態について、図面を参照して詳細に説明する。
【００２５】
（実施の形態１）
図１は、本発明の実施の形態１に係る基地局装置の構成を示すブロック図である。
【００２６】
図１に示す基地局装置は、通信を行う通信端末装置分の個別チャネル信号形成ユニット１０１−１〜１０１−Ｎを有すると共に、Ｅ−ＨＩＣＨの制御信号形成ユニット１１０およびＥ−ＡＧＣＨの制御信号形成ユニット１２０を有する。
【００２７】
個別チャネル信号形成ユニット１０１−１〜１０１−Ｎは、各通信端末装置宛の送信データをそれぞれ各通信端末装置に割り当てられた拡散コードを用いて拡散することにより、各通信端末装置宛の個別チャネル信号を形成する。
【００２８】
一方、Ｅ−ＨＩＣＨの制御信号形成ユニット１１０およびＥ−ＡＧＣＨの制御信号形成ユニット１２０は、各通信端末装置が上り回線パケットの送信を行う際の各通信端末装置宛の制御情報を、セル内の各通信端末装置で共通の拡散コードを用いて拡散することにより、制御信号を形成する。
【００２９】
各個別チャネル信号形成ユニット１０１−１〜１０１−Ｎの処理は同様であるため、ここでは１つの個別チャネル信号形成ユニット１０１−１の構成のみ説明する。個別チャネル信号形成ユニット１０１−１のチャネルエンコード部１０２は、パイロット信号（ＰＩＬＯＴ）、送信データ及び上り回線送信電力制御コマンド（ＵＬ−ＴＰＣ）を多重し、符号化する。なお、送信データに対しては多重化の前に誤り訂正符号化処理を施す。チャネルエンコード部１０２からの出力は、変調部１０３によって変調処理が施された後、拡散部１０４に出力される。
【００３０】
拡散部１０４は、通信端末装置個別の拡散コードを用いて変調信号を拡散処理する。すなわち各個別チャネル信号形成ユニット１０１−１〜１０１−Ｎでは、それぞれ異なる拡散コードを用いて拡散処理を行うようになっている。拡散処理後の信号は増幅部１０５に出力される。増幅部１０５は、送信電力制御部１０６からの送信電力制御信号に従って、拡散信号の電力を増幅し、増幅後の信号を送信無線部１０７に出力する。
【００３１】
これにより、各個別チャネル信号形成ユニット１０１−１〜１０１−Ｎからそれぞれ異なる拡散コードを用いて形成された各通信端末装置個別の個別チャネル信号が出力される。個別チャネル信号は送信無線部１０７によりアナログディジタル変換やアップコンバート等の所定の無線処理が施された後、アンテナ１０８を介して送信される。
【００３２】
一方、Ｅ−ＨＩＣＨの制御信号形成ユニット１１０は、チャネルエンコード部１１１に誤り検出部２８により得られた各通信端末装置宛のＡＣＫ／ＮＡＣＫを入力する。チャネルエンコード部１１１は、各通信端末装置宛のＡＣＫ／ＮＡＣＫを符号化する。チャネルエンコード部１１１からの出力は変調部１１２により変調処理が施された後、拡散部１１３に出力される。
【００３３】
拡散部１１３は、通信中の複数の通信端末装置に共通の拡散コードを用いて変調信号を拡散する。拡散処理後の信号は増幅部１１４に出力される。増幅部１１４は、送信電力設定部１１５からの送信電力制御信号に従って、拡散信号の電力を増幅し、増幅後の信号を送信無線部１０７に出力する。
【００３４】
また、Ｅ−ＡＧＣＨの制御信号形成ユニット１２０では、チャネルエンコード部１２１に、後述するスケジューリング部３１より出力されたＰＡＦ、電力比情報、Ｅ−ＲＮＴＩからなるスケジューリング結果情報を入力する。チャネルエンコード部１２１は、ＰＡＦ、電力比情報に対してＥ−ＲＮＴＩでマスクしたＣＲＣを付加した情報を符号化する。チャネルエンコード部１２１からの出力は変調部１２２により変調処理が施された後、拡散部１２３に出力される。
【００３５】
拡散部１２３は、通信中の複数の通信端末装置に共通の拡散コードを用いて変調信号を拡散する。拡散処理後の信号は増幅部１２４に出力される。増幅部１２４は、送信電力設定部１２５からの送信電力制御信号に従って、拡散信号の電力を増幅し、増幅後の信号を送信無線部１０７に出力する。
【００３６】
これにより、Ｅ−ＨＩＣＨの制御信号形成ユニット１１０およびＥ−ＡＧＣＨの制御信号形成ユニット１２０からは、各通信端末装置が個別チャネルを用いて上り回線パケットの送信を行う際の制御情報（ＡＣＫ／ＮＡＣＫおよびスケジューリング結果情報）が通信端末装置との間で決められたタイミングで多重され、かつ複数の通信端末装置で共通の拡散コードを用いて拡散された制御信号が出力される。この制御信号は送信無線部１０７によりアナログディジタル変換やアップコンバート等の所定の無線処理が施された後、アンテナ１０８を介して送信される。なお、ここでは１つの拡散コードを複数の通信端末装置で共有する例で説明したが、複数の拡散コードを複数の通信端末装置で使用してもよい。
【００３７】
また、図１に示す基地局装置において、アンテナ１０８で受信された信号が受信無線部２０に入力される。受信無線部２０は受信信号に対してダウンコンバートやアナログディジタル変換等の所定の無線処理を施すことにより受信ベースバンド信号を得、これを通信端末装置の数Ｎだけ設けられた受信処理ユニット２１−１〜２１−Ｎに出力する。各受信処理ユニット２１−１〜２１−Ｎの処理は同様であるため、ここでは１つの受信処理ユニット２１−１の構成のみ説明する。
【００３８】
逆拡散部２２は、受信ベースバンド信号に対して通信端末装置に対応した拡散コードを用いて逆拡散処理を行うことにより、通信端末装置から送信された個別チャネル信号を取り出して復調部２３に出力する。また逆拡散部２２は、パイロットシンボルを逆拡散してＳＩＲ測定部２９に出力する。
【００３９】
復調部２３は、逆拡散部２２の出力信号に対して復調処理を行い、復調信号をチャネルデコード部２４に出力する。チャネルデコード部２４は、復調部２３の出力信号に対して誤り訂正復号等の復号処理を行い、受信データ、下り回線用の送信電力制御コマンド（ＤＬ−ＴＰＣ）等を取り出す。因みに、受信データは基地局装置の上位局である制御局に送られ、ＤＬ−ＴＰＣは送信電力制御部１０６に送られる。
【００４０】
ＳＩＲ測定部２９は、逆拡散後のパイロットシンボルの分散値から干渉波電力を算出し、希望波電力と干渉波電力との比（ＳＩＲ）を算出し、ＳＩＲを示す情報をＴＰＣ生成部３０及びスケジューリング部３１に出力する。ＴＰＣ生成部３０は、上り回線の受信ＳＩＲと目標ＳＩＲとの大小関係に基づいて、上り回線の送信電力の増減を指示する上り回線用の送信電力制御コマンド（ＵＬ−ＴＰＣ）を生成し、このＵＬ−ＴＰＣをチャネルエンコード部１０２に出力する。
【００４１】
逆拡散部２５は、通信端末装置が上り回線パケットを拡散したときと同じ拡散率で受信ベースバンド信号を逆拡散処理する。なおこの上り回線パケットの拡散率や変調多値数、符号化率等の情報は通信端末装置により信号中に埋め込まれて送信され、図１に示す基地局装置は例えば受信データ中に埋め込まれたこれらの情報を抽出し、逆拡散部２５、復調部２６、チャネルデコード部２７に通知するようになっている。つまり、逆拡散部２５、復調部２６、チャネルデコード部２７は、拡散率、変調多値数、符号化率を通信端末装置からの送信パラメータ情報に応じて変化させることができる構成となっている。
【００４２】
復調部２６は、逆拡散部２５から出力された上り回線パケットに対して復調処理を行い、復調信号をチャネルデコード部２７に出力する。チャネルデコード部２７は、復調信号に対して誤り訂正復号等の復号処理を行い、受信パケットを取り出し、それを誤り検出部２８に出力する。またチャネルデコード部２７は、レート要求情報を抽出し、これをスケジューリング部３１に出力する。
【００４３】
誤り検出部２８は、受信パケットに対して誤り検出を行う。そして、誤りが検出されなかった場合、誤り検出部２８は、受信パケットを基地局装置の上位局である制御局に出力するとともに、正しく復調できた旨を示すＡＣＫ信号をチャネルエンコード部１１１に出力する。一方、誤りが検出された場合、誤り検出部２８は、正しく復調できなかった旨を示すＮＡＣＫ信号をチャネルエンコード部１１１に出力する。
【００４４】
スケジューリング部３１は、各通信端末装置からのレート要求情報、ＳＩＲ、上り回線パケット用の受信電力リソースに基づいて、上り回線パケットの送信を許可する通信端末装置を決定し、その上り回線パケットの送信時に使用を許可するリソース（電力比）を決定するスケジューリングを行う。そして、スケジューリング部３１は、決定した通信端末装置と関連付けられた識別子であるＥ−ＲＮＴＩと、決定した電力比を示す電力比情報、ＰＡＦとからなるスケジューリング結果情報をチャネルエンコード部１２１に出力する。
【００４５】
次に、図１に示す基地局装置のスケジューリング部３１の処理について図２のブロック図及び図３のテーブル図を用いて説明する。
【００４６】
図２は、スケジューリング部３１の内部構成を示すブロック図である。図３は、識別子Ｅ−ＲＮＴＩ（Ｎ１〜Ｎ９）と、Ｅ−ＲＮＴＩのタイプ（Primary 又は Secondary）と、通信端末装置の番号（ＵＥ＃１〜ＵＥ＃６）との関係を示すテーブル図である。図３の内容は、制御局から図２のＥ−ＲＮＴＩ情報記憶部２１１に設定され記憶されている。
【００４７】
端末選択部２１２には、通信端末装置から送信されたレート要求情報が入力される。端末選択部２１２は、所定のスケジューリングアルゴリズム（例えば、ラウンドロビン法やプロポーショナルフェアネス法など）に従って、レート要求情報を送信した通信端末装置の中から上り回線パケットの送信を許可する通信端末装置を選択する。そして、端末選択部２１２は、Ｅ−ＲＮＴＩ情報記憶部２１１に記憶された図３に示すＥ−ＲＮＴＩ情報テーブルに基づいて、選択した通信端末装置に対応するＥ−ＲＮＴＩを選定し、ＰＡＦ決定部２１３、電力比決定部２１４及びチャネルエンコード部１２１に出力する。例えば、端末選択部２１２は、通信端末装置ＵＥ＃１のみを選択した場合、Ｎ１を出力する。また、端末選択部２１２は、通信端末装置ＵＥ＃１、Ｕ＃２を選択した場合、Ｎ１及びＮ２を出力する。また、端末選択部２１２は、通信端末装置ＵＥ＃１、Ｕ＃２、ＵＥ＃３を選択した場合、Ｎ３を出力する。
【００４８】
ＰＡＦ決定部２１３は、端末選択部２１２が選択した通信端末装置から送信されたレート要求情報に基づいて、全てのＨ−ＡＲＱプロセスを用いて上りパケットを送信する必要があるか否かを決定し、決定結果を示す１ビットのＰＡＦを生成する。例えば、ＰＡＦ決定部２１３は、レート要求情報が所定の閾値より高い場合、全てのＨ−ＡＲＱプロセスを用いて上りパケットを送信する必要があると決定し、これを示す「１」のＰＡＦを生成し、他の場合に、１つのＨ−ＡＲＱプロセスを用いて上りパケットを送信すれば十分と決定し、これを示す「０」のＰＡＦを生成する。そして、ＰＡＦ決定部２１３は、生成したＰＡＦを電力比決定部２１４及びチャネルエンコード部１２１に出力する。
【００４９】
電力比決定部２１４には、レート要求情報、上り回線パケット用受信電力リソース、ＳＩＲ、Ｅ−ＲＮＴＩ及びＰＡＦが入力される。電力比決定部２１４は、ＳＩＲに基づいて受信電力を予測して、Ｄ−ＰＣＣＨに対する、端末選択部２１２で選択された通信端末装置が送信する上り回線パケットＥ−ＤＰＤＣＨの電力比を上り回線パケット用受信電力リソースの範囲内で決定する。なお、同じデータ量を送信するために必要とされる電力比は、ＰＡＦにより異なる。例えば、ＰＡＦ「１」の場合には、全てのＨ−ＡＲＱプロセスを用いて上りパケットを送信することから、ＰＡＦ「０」の場合に比べて、電力比を小さく設定する。例えば、Ｈ−ＡＲＱプロセス数が４である場合に１／４となる。そして、電力比決定部２１４は、決定した電力比を示す電力比情報をチャネルエンコード部１２１に出力する。
【００５０】
この結果、スケジューリング結果情報として、Ｅ−ＲＮＴＩ、ＰＡＦ、電力比情報が、スケジューリング部３１からチャネルエンコード部１２１に出力される。
【００５１】
次に、本実施の形態に係る通信端末装置の構成について、図４のブロック図を用いて説明する。
【００５２】
まず、受信系について説明する。受信無線部４２は、アンテナ４１に受信された信号に対してダウンコンバートやアナログディジタル変換処理を施すことにより受信ベースバンド信号を得、これを逆拡散部４３、４８および５１に出力する。
【００５３】
逆拡散部４３は、この通信端末装置個別の拡散コードを用いて逆拡散処理を行うことにより、自局宛の信号を得る。逆拡散信号は、復調部４４及びチャネルデコード部４５により順次復調処理及び復号処理が施され、これにより受信データ、上り回線送信電力制御コマンド（ＵＬ−ＴＰＣ）が得られる。また逆拡散信号は、ＳＩＲ測定部４６及びＴＰＣ生成部４７に順次入力され、これによりＴＰＣ生成部４７から下り回線送信電力制御コマンド（ＤＬ−ＴＰＣ）が得られる。
【００５４】
逆拡散部４８は、基地局においてＥ−ＨＩＣＨに使用された拡散コードを用いて、受信無線部４２から出力された受信ベースバンド信号を逆拡散することにより、逆拡散信号を抽出する。逆拡散部４８から出力された逆拡散信号は、復調部４９により復調された後、チャネルデコード部５０に入力される。チャネルデコード部５０は、多重された各通信端末装置宛のＡＣＫ／ＮＡＣＫのうち、自局宛のＡＣＫ／ＮＡＣＫを抽出する。このＡＣＫ／ＮＡＣＫに基づいて、通信端末装置は、上り回線パケットの再送を制御する。
【００５５】
また、逆拡散部５１は、基地局においてＥ−ＡＧＣＨに使用された拡散コードを用いて、受信無線部４２から出力された受信ベースバンド信号を逆拡散することにより、逆拡散信号を抽出する。逆拡散部５１から出力された逆拡散信号は、復調部５２により復調された後、チャネルデコード部５３に入力される。
【００５６】
チャネルデコード部５３は、復調部５２の出力信号を復号し、復号結果の情報に対してＥ−ＲＮＴＩでマスクしたＣＲＣを検査して、自局のＥ−ＲＮＴＩと比較して自局宛のスケジューリング結果情報を抽出する。具体的には、チャネルデコード部５３は、Primary E-RNTI及びSecondary E-RNTIを用いてＣＲＣ確認し、どちらか一方のＥ−ＲＮＴＩでＣＲＣ誤りが検出されなければ、自局宛のスケジューリング結果情報がＥ−ＡＧＣＨで送信されたと判断し、いずれのＥ−ＲＮＴＩでもＣＲＣ誤りが検出されれば、自局宛のスケジューリング結果情報がＥ−ＡＧＣＨで送信されなかったと判断する。そして、チャネルデコード部５３は、自局宛のスケジューリング結果情報をプロセス制御部５４に出力する。
【００５７】
プロセス制御部５４は、Primary E-RNTIの場合にはＰＡＦで示されたＨ−ＡＲＱプロセスについてactivation/inactivationの制御を行い、Secondary E-RNTIの場合にはＰＡＦにかかわらずすべてのＨ−ＡＲＱプロセスに対してactivation/inactivationの制御を行い、すなわち各Ｈ−ＡＲＱプロセスに対して送信を許可するか否かを制御する。そして、プロセス制御部５４は、電力比情報を電力比決定部４５７に出力し、送信を許可したＨ−ＡＲＱプロセスを示すプロセス情報を送信パラメータ設定部４５８に出力する。
【００５８】
次に、送信系について説明する。図４に示す通信端末装置は、送信パケットについては、符号化率や、変調多値数、拡散率を変化させるのに対して、その他のデータについてはこれらのパラメータを変化させない。具体的には、パイロット信号（ＰＩＬＯＴ）、下り信号送信電力制御コマンド（ＤＬ−ＴＰＣ）、送信データは、それぞれ符号化率、変調多値数、拡散率が固定とされたチャネルエンコード部４５０、変調部４５１、拡散部４５２により順次処理された後、拡散後の信号が増幅部４５３に出力される。
【００５９】
これに対して、送信パケットは先ずバッファ４５４に蓄積される。バッファ４５４は、ＡＣＫ／ＮＡＣＫに基づいて、ＡＣＫであれば前回送信した送信パケットを消去し初回送信パケットをチャネルエンコード部４５９に出力し、ＮＡＣＫであれば前回送信した送信パケットを再びチャネルエンコード部４５９に出力する。
【００６０】
また、バッファ４５４に蓄積されている送信パケットのデータ量はデータ量測定部４５５により測定され、データ量測定部４５５は測定結果を電力比決定部４５７及びレート要求選択部４５６に出力する。
【００６１】
電力比決定部４５７は、電力比情報と、バッファ４５４でのデータ蓄積量と、送信電力マージンとに基づいて、ＤＰＣＣＨに対する上り回線パケットＥ−ＤＰＤＣＨの電力比を決定し、決定した電力比に対応する伝送レートをレート要求選択部４５６に通知すると共に送信パラメータ設定部４５８に通知する。ここで、通信端末装置の送信電力リソースが不足している場合や、通信端末装置の送信データが少ない場合等は、電力比決定部４５７は、電力比情報で示される電力比よりも低い値を設定することがある。
【００６２】
レート要求選択部４５６は、電力比決定部４５７から通知された伝送レートと、バッファ４５４でのデータ蓄積量と、送信電力マージンとに基づいて、レート要求情報を生成し、これをチャネルエンコード部４５９に出力する。このレート要求情報は、通信端末装置が望む送信パケットの伝送レートを示す情報であり、例えば１〜ｎ（ｎは２以上の自然数）で表される。
【００６３】
送信パラメータ設定部４５８は、プロセス情報及び電力比決定部４５７から通知された伝送レートに基づいて、バッファ４５４に蓄積された送信パケットの読出しレート及び読出しタイミングを制御すると共に、チャネルエンコード部４５９での符号化率、変調部４６０での変調多値数、拡散部４６１での拡散率を設定し、これら送信パラメータをそれぞれチャネルエンコード部４５９、変調部４６０、拡散部４６１に出力する。また送信パラメータ設定部４５８は、伝送レートに基づいて、パケットを送信する際の送信電力のオフセット量を設定し、これを送信電力制御部４６３に出力する。
【００６４】
因みに、電力比決定部４５７及びレート要求選択部４５６に入力される送信電力マージンは、送信電力測定部４６５により設定される。具体的には、送信電力測定部４６５は、送信電力制御部４６４により上り回線送信電力制御コマンド（ＵＬ−ＴＰＣ）に従って制御される送信電力と、自局が送信可能な最大送信電力とに基づいて、送信電力マージンを設定する。なお送信パケットの送信電力制御信号を発生する送信電力制御部４６３は、その他のパイロット信号、下り回線送信電力制御コマンド（ＤＬ−ＴＰＣ）や送信データの送信電力制御信号を発生する送信電力制御部４６４からの制御信号に、送信パラメータ設定部４５８により設定されたオフセットを与えた送信電力制御信号を発生するようになされている。
【００６５】
拡散部４５２及び拡散部４６１から出力される各拡散信号は、それぞれ対応する増幅部４５３、４６２により独立に増幅された後、送信無線部４６６によりディジタルアナログ変換やアップコンバート等の所定の無線処理を施された後、アンテナ４１を介して送信される。
【００６６】
このように、本実施の形態によれば、通信端末装置の受信系において、Primary E-RNTIの場合にはＰＡＦに示されたＨ−ＡＲＱプロセスを制御し、Secondary E-RNTIの場合にはＰＡＦにかかわらずすべてのＨ−ＡＲＱプロセスを制御するように、パケットを送信するプロセスを選択することができるので、Secondary E-RNTIの場合にＰＡＦを読み取るための処理を削減することができる。これにより、開発や試験にかかる工数を減らすことができる。
【００６７】
（実施の形態２）
実施の形態２では、基地局装置が、Secondary E-RNTIの場合にＰＡＦを固定値とし、通信端末装置が、Secondary E-RNTIの場合にＰＡＦが固定値と一致しない場合にはスケジューリング結果情報を廃棄する場合について説明する。
【００６８】
本実施の形態の基地局装置は、図１に示した実施の形態１の基地局装置と構成が同一であり、スケジューリング部３１の内部構成のみが異なる。
【００６９】
図５は、本実施の形態に係るスケジューリング部３１の構成を示すブロック図である。なお、図５のスケジューリング部３１において、図２と共通する構成部分には図２と同一の符号を付して詳細な説明を省略する。図５のスケジューリング部３１は、図２に対して、ＰＡＦ切り替え部５０１を追加した構成を採る。
【００７０】
端末選択部２１２は、選択した通信端末装置に対応するＥ−ＲＮＴＩをＰＡＦ決定部２１３、電力比決定部２１４、ＰＡＦ切り替え部５０１に出力する。ＰＡＦ決定部２１３は、生成したＰＡＦをＰＡＦ切り替え部５０１に出力する。
【００７１】
ＰＡＦ切り替え部５０１は、Secondary E-RNTIの場合には、ＰＡＦ決定部２１３が生成したＰＡＦにかかわらず、ＰＡＦを予め定められている固定値「１」にして電力比決定部２１４及びチャネルエンコード部１２１に出力する。
【００７２】
本実施の形態の通信端末装置は、図４に示した実施の形態１の通信端末装置と構成が同一であり、プロセス制御部５４の作用のみが異なる。
【００７３】
本実施の形態の場合、プロセス制御部５４は、Secondary E-RNTIの場合にはＰＡＦが固定値に一致するか否かを判定し、一致する場合には、すべてのＨ−ＡＲＱプロセスのactivation/inactivationを制御し、一致しない場合にはスケジューリング結果情報を廃棄する。
【００７４】
このように、本実施の形態によれば、基地局装置が、Secondary E-RNTIの場合にＰＡＦを固定値とし、通信端末装置が、Secondary E-RNTIの場合にＰＡＦが固定値と一致しない場合にはスケジューリング結果情報を廃棄することにより、誤った情報もしくは基地局の誤った指示に基づいてパケットを送信することがなくなるためシステムが不安定になることを避けることができる。また、開発や試験の工数を削減することができる。なお、基地局装置側で固定値に設定せずに、通信端末装置のみが、Secondary E-RNTIの場合にＰＡＦが固定値と一致しない場合にはスケジューリング結果情報を廃棄するということのみを行ってもよい。この場合にもシステムが不安定になることを避けることができる。また開発や試験の工数を削減することができる。
【００７５】
（実施の形態３）
実施の形態３では、基地局装置が、Secondary E-RNTIの場合にＰＡＦの代わりに他の制御信号を挿入する場合について説明する。
【００７６】
本実施の形態の基地局装置は、図１に示した実施の形態１の基地局装置と構成が同一であり、スケジューリング部３１の内部構成のみが異なる。
【００７７】
図６は、本実施の形態に係るスケジューリング部３１の構成を示すブロック図である。なお、図６のスケジューリング部３１において、図２と共通する構成部分には図２と同一の符号を付して詳細な説明を省略する。図６のスケジューリング部３１は、図２に対して、ＰＡＦ置き換え部６０１を追加した構成を採る。
【００７８】
端末選択部２１２は、選択した通信端末装置に対応するE-RNTIをＰＡＦ決定部２１３、電力比決定部２１４、ＰＡＦ置き換え部６０１に出力する。ＰＡＦ決定部２１３は、生成したＰＡＦをＰＡＦ置き換え部６０１に出力する。
【００７９】
ＰＡＦ置き換え部６０１は、Secondary E-RNTIの場合には、ＰＡＦを制御信号に置き換え、電力比決定部２１４及びチャネルエンコード部１２１に出力する。
【００８０】
電力比決定部２１４は、ＰＡＦ置き換え部６０１から制御信号を入力した場合には、ＰＡＦ「１」の場合と同じように電力比を設定する。
【００８１】
本実施の形態の通信端末装置は、図４に示した実施の形態１の通信端末装置と構成が同一であり、プロセス制御部５４の作用のみが異なる。
【００８２】
本実施の形態の場合、プロセス制御部５４は、Secondary E-RNTIの場合にはすべてのプロセスのactivation/inactivationを制御し、さらに制御信号を図示しない他の構成に出力する。
【００８３】
このように、本実施の形態によれば、基地局装置が、Secondary E-RNTIの場合にＰＡＦを制御信号に置き換え、通信端末装置が、Secondary E-RNTIの場合に制御信号を他の処理に用いることができるので、無線リソースを有効に活用することができるとともにさらに高度なシステム運営を行うことができる。
【００８４】
なお、上記各実施の形態では、レート要求情報に基づいてＰＡＦを生成する場合について説明したが、本発明は、ＰＡＦ生成の基準に制限は無く、スループット、データ量、優先度等を基準にＰＡＦを生成しても良い。また、上記各実施の形態では、Secondary E-RNTIの場合にＰＡＦを固定値に切り替える例と制御信号に置き換える例を説明したが、ＰＡＦに相当する位置のビットの使用方法について述べているためでその際の名前はＰＡＦでなくてもよい。
【産業上の利用可能性】
【００８５】
本発明は、上り回線で高速パケット伝送を行う無線通信システムに使用される基地局装置、通信端末装置に用いるに好適である。
【図面の簡単な説明】
【００８６】
【図１】本発明の実施の形態１に係る基地局装置の構成を示すブロック図
【図２】本発明の実施の形態１に係るスケジューリング部の構成を示すブロック図
【図３】本発明の実施の形態１に係る識別子E-RNTI、E-RNTIのタイプ及び通信端末装置の番号との関係を示すテーブル図
【図４】本発明の実施の形態１に係る通信端末装置の構成を示すブロック図
【図５】本発明の実施の形態２に係るスケジューリング部の構成を示すブロック図
【図６】本発明の実施の形態２に係るスケジューリング部の構成を示すブロック図
【図７】ＨＳＵＰＡの手順を説明するための図
【図８】ＨＳＵＰＡの手順を説明するための図
【符号の説明】
【００８７】
３１  スケジューリング部
５４  プロセス制御部
２１１  E-RNTI情報記憶部
２１２  端末選択部
２１３  ＰＡＦ決定部
２１４  電力比決定部
５０１  ＰＡＦ切り替え部
６０１  ＰＡＦ置き換え部
【図１】
2006311411.tif 000003
【図２】
2006311411.tif 000004
【図３】
2006311411.tif 000005
【図４】
2006311411.tif 000006
【図５】
2006311411.tif 000007
【図６】
2006311411.tif 000008
【図７】
2006311411.tif 000009
【図８】
2006311411.tif 000010